(57)【要約】【課題】ユーザーの好みにあった番組の放送データを漏れなく記録することが可能な放送記録装置を提供する。【解決手段】記録しようとする第２放送データ１２ｂに含まれる各ＣＭの特徴を示す特徴データを抽出し、当該特徴データの傾向とデータベース１２ｃとが所定の類似基準１２ｅよりも類似しているとき、当該第２放送データ１２ｂの記録を許可する（削除しない）と判定する。【選択図】図４
2008123617.tif 000002
【特許請求の範囲】
【請求項１】
放送データを受信するチューナと、上記チューナが受信した上記放送データを復調する復調回路と、上記復調回路にて復調された上記放送データを所定の記録媒体に記録する記録部を具備する放送記録装置において、
ユーザーから指定された上記放送データを記録する第１の記録手段と、
上記第１の記録手段が記録した上記放送データに含まれる各ＣＭの特徴を示す特徴データを抽出し、当該特徴データを集計したデータベースを作成するデータベース作成手段と、
上記データベースが有する各ＣＭの上記特徴データと、記録しようとする上記放送データから抽出された各ＣＭの上記特徴データの傾向とが、上記特徴データの一致数または一致率で規定される類似基準よりも類似しているとき、当該放送データの記録を許可すると判定する判定手段と、
上記判定手段が記録を許可すると判定したとき当該放送データを記録する第２の記録手段と、
現在から遡って所定期間の間に放送された上記放送データに含まれる各ＣＭの特徴を示す特徴データのいずれにも一致しない上記特徴データを上記データベースから破棄するデータベース管理手段と、
上記第２の記録手段が記録した上記放送データが所定期間再生されないとき、当該放送データを削除する削除手段と、
ユーザーの指定に基づき上記類似基準を変更する基準変更手段とを具備することを特徴とする放送記録装置。
【請求項２】
放送データを受信して記録する放送記録装置において、
ユーザーから指定された上記放送データを記録する第１の記録手段と、
上記第１の記録手段が記録した上記放送データに含まれる各ＣＭの特徴を示す特徴データを抽出し、当該特徴データを集計したデータベースを作成するデータベース作成手段と、
記録しようとする上記放送データに含まれる各ＣＭの特徴を示す特徴データを抽出し、当該特徴データの傾向と上記データベースが示す傾向とが所定の類似基準よりも類似しているとき、当該放送データの記録を許可すると判定する判定手段と、
上記判定手段が記録を許可すると判定したとき当該放送データを記録する第２の記録手段とを具備することを特徴とする放送記録装置。
【請求項３】
現在から遡って所定期間の間に放送された上記放送データに含まれる各ＣＭの特徴を示す特徴データのいずれにも一致しない上記特徴データを上記データベースから破棄するデータベース管理手段を具備することを特徴とする請求項２に記載の放送記録装置。
【請求項４】
上記第２の記録手段が記録した上記放送データが所定期間再生されないとき、当該放送データを削除する削除手段を具備することを特徴とする請求項２または請求項３のいずれかに記載の放送記録装置。
【請求項５】
上記類似基準は、
上記データベースが有する各ＣＭの上記特徴データと、記録しようとする上記放送データから抽出された各ＣＭの上記特徴データとの一致数または一致率で規定されることを特徴とする請求項２から請求項４のいずれか一項に記載の放送記録装置。
【請求項６】
ユーザーの指定に基づき上記類似基準を変更する基準変更手段を具備することを特徴とする請求項２から請求項５のいずれか一項に記載の放送記録装置。
【請求項７】
上記判定手段は、
記録しようとする上記放送データに含まれる各ＣＭの特徴を示す特徴データを抽出し、当該特徴データの傾向と上記データベースとが所定の類似基準よりも類似しており、かつ、当該特徴データに特定の特徴データと一致するものが含まれないとき、当該放送データの記録を許可すると判定することを特徴とする請求項２から請求項６のいずれか一項に記載の放送記録装置。
【請求項８】
上記判定手段は、
記録しようとする上記放送データに含まれる各ＣＭの特徴を示す特徴データを抽出し、当該特徴データの傾向と上記データベースとが所定の類似基準よりも類似しており、かつ、当該特徴データに特定の特徴データと一致するものが含まれるとき、当該放送データの記録を許可すると判定しつつ、上記第２の記録手段に対して当該放送データを記録する際の記録品質を低下させるよう指示することを特徴とする請求項２から請求項６のいずれか一項に記載の放送記録装置。
【発明の詳細な説明】
【技術分野】
【０００１】
本発明は放送記録装置に関し、特に放送データを受信して記録する放送記録装置に関するものである。
【背景技術】
【０００２】
ＣＭを利用して録画を行うか否かを判定する関連技術として、番組予告ＣＭが再生された場合に予告された番組を録画する録画装置が提案されている（特許文献１、参照。）。
かかる構成によれば、ユーザーが特に録画予約の操作を行うことなく、ユーザーの好みの番組について録画を行うことができる。
【特許文献１】特開２００４−１２０４０８号公報
【発明の開示】
【発明が解決しようとする課題】
【０００３】
しかしながら、上述した技術では、番組予告をするＣＭをする番組しか録画することができないという課題があった。ユーザーの好みは様々であるため、番組予告をしないような番組であってもユーザーが視聴したいということも十分考えられ、ユーザーが好む番組を漏れなく録画することができない。
本発明は、上記課題にかんがみてなされたもので、ユーザーの好みにあった番組の放送データを漏れなく記録することができる放送記録装置の提供を目的とする。
【課題を解決するための手段】
【０００４】
上記目的を達成するために請求項２にかかる発明は、放送データを受信して記録する放送記録装置において、ユーザーから指定された上記放送データを記録する第１の記録手段と、上記第１の記録手段が記録した上記放送データに含まれる各ＣＭの特徴を示す特徴データを抽出し、当該特徴データを集計したデータベースを作成するデータベース作成手段と、記録しようとする上記放送データに含まれる各ＣＭの特徴を示す特徴データを抽出し、当該特徴データの傾向と上記データベースとが所定の類似基準よりも類似しているとき、当該放送データの記録を許可すると判定する判定手段と、上記判定手段が記録を許可すると判定したとき当該放送データを記録する第２の記録手段とを具備する構成としてある。
【０００５】
上記のように構成した請求項２の発明では、第１の記録手段がユーザーから指定された上記放送データを記録する。例えば、ある番組を録画したい場合に、ユーザーが録画開始時間と録画終了時間とチャンネルを指定したり、これらの情報を特定するコードを入力したり、番組を指定したりすることによって録画する放送データを特定する。これらの指定によればユーザーの好みの放送データのみを録画することができる。データベース作成手段は、上記第１の記録手段が記録した上記放送データに含まれる各ＣＭの特徴を示す特徴データを抽出し、当該特徴データを集計したデータベースを作成する。すなわち、ユーザーの好みに即した上記放送データに含まれる各ＣＭの特徴データが集計される。このデータベースによれば、ユーザーの好みの番組中に放送される各ＣＭの傾向を把握することができる。
【０００６】
判定手段は、記録しようとする上記放送データに含まれる各ＣＭの特徴を示す特徴データを抽出し、当該特徴データの傾向と上記データベースとが所定の類似基準よりも類似しているとき、当該放送データの記録を許可すると判定する。すなわち、ユーザーが好んで記録した上記放送データにおけるＣＭの傾向と、放送されている上記放送データにおけるＣＭの傾向とが所定の類似基準よりも類似している場合に限り、放送されている上記放送データの録画を許可する。ＣＭは番組の内容にマッチした特定の視聴者層をターゲットとして放送されるため、ユーザーが好んで記録した上記放送データの番組と視聴者層が似通った番組についての記録を許可することができる。そして、上記判定手段が記録を許可すると判定した上記放送データについては第２の記録手段が記録を行う。ここで、第２の記録手段が行う記録とは、最終的に記録されていれることを意味し、例えば予め一時記録しておき、上記判定手段の許可判定に基づき一時記録した上記放送データを保持することも概念として含まれる。逆に、上記判定手段の不許可判定に基づき一時記録した上記放送データを消去することは、“記録しない”ことの概念として含まれる。
【０００７】
また、請求項３にかかる発明は、現在から遡って所定期間の間に放送された上記放送データに含まれる各ＣＭの特徴を示す特徴データのいずれにも一致しない上記特徴データを上記データベースから破棄するデータベース管理手段を具備する構成としてある。
【０００８】
上記のように構成した請求項３の発明では、データベース管理手段は、現在から遡って所定期間の間に放送された上記放送データに含まれる各ＣＭの特徴を示す特徴データを監視し、そのいずれにも一致しない上記特徴データが上記データベースに含まれる場合、当該一致しない上記特徴データを上記データベースから破棄する。同一のＣＭが長期間にわたって放送されることは希であるため、現在から遡って所定期間の間に放送された最近のＣＭの上記特徴データのみ上記データベースでは有効とされる。
【０００９】
また、請求項４にかかる発明は、上記第２の記録手段が記録した上記放送データが所定期間再生されないとき、当該放送データを削除する削除手段を具備する構成としてある。
【００１０】
上記のように構成した請求項４の発明では、ＣＭの傾向が似ていてもユーザーが好まない番組が記録される可能性もあるため、上記第２の記録手段が記録した上記放送データが所定期間再生されないとき、当該放送データをユーザーの好みに合わないものと判断し、削除する。
【００１１】
さらに、請求項５にかかる発明では、上記類似基準は、上記データベースが有する各ＣＭの上記特徴データと、記録しようとする上記放送データから抽出された各ＣＭの上記特徴データとの一致数または一致率で規定される構成としてある。
【００１２】
上記のように構成した請求項５の発明では、上記データベースが有する各ＣＭの上記特徴データと、記録しようとする上記放送データから抽出された各ＣＭの上記特徴データとの一致数または一致率によって上記類似基準が規定される。同じＣＭがどれだけの数含まれるか、あるいは、同じＣＭがどれだけの比率で含まれるかということが類似性の基準とされる。ただし、類似性の上記類似基準は一致数や一致率に限られず、他の統計的手法に基づいて類似性を判定することも可能である。
【００１３】
また、請求項６にかかる発明では、ユーザーの指定に基づき上記類似基準を変更する基準変更手段を具備する構成としてある。
【００１４】
上記のように構成した請求項６にかかる発明において、上記類似基準がユーザーの指定によって変更される。従って、ユーザーの判断によって、精度を重視して記録量を抑えたり、漏れのない記録を行うため記録量を増加させたりすることができる。
【００１５】
また、請求項７にかかる発明では、上記判定手段は、記録しようとする上記放送データに含まれる各ＣＭの特徴を示す特徴データを抽出し、当該特徴データの傾向と上記データベースとが所定の類似基準よりも類似しており、かつ、当該特徴データに特定の特徴データと一致するものが含まれないとき、当該放送データの記録を許可すると判定する構成としてある。
【００１６】
上記のように構成した請求項７の発明においては、ＣＭの傾向が類似していると判断される場合であって、さらに記録しようとする上記放送データに含まれるＣＭの特徴データに特定の特徴データと一致するものが含まれないときに限り、記録を許可する。これにより、ＣＭの傾向が類似していると判断される場合であっても、ある特定のＣＭが放送される場合には記録を回避することができる。
【００１７】
また、請求項８にかかる発明では、上記判定手段は、記録しようとする上記放送データに含まれる各ＣＭの特徴を示す特徴データを抽出し、当該特徴データの傾向と上記データベースとが所定の類似基準よりも類似しており、かつ、当該特徴データに特定の特徴データと一致するものが含まれるとき、当該放送データの記録を許可すると判定しつつ、上記第２の記録手段に対して当該放送データを記録する際の記録品質を低下させるよう指示する構成としてある。例えば、ユーザーが見たくない番組に挿入されるＣＭの特徴データを特定の特徴データとしておくことにより、当該番組の上記放送データを記録対象から除外することができる。
【００１８】
上記のように構成した請求項８の発明においては、記録しようとする上記放送データに含まれるＣＭの特徴データに特定の特徴データと一致するものが含まれるときでも、ＣＭの傾向が類似していると判断される場合には、一応は記録を許可する。ただし、記録容量の浪費する可能性が高いため、ビットレート等の記録品質を低下させて記録容量の浪費を防止する。
【００１９】
以上の構成をさらに具体化した画像データ圧縮伸長装置によっても本発明を実現することができ、その具体例として請求項１にかかる発明は、放送データを受信するチューナと、上記チューナが受信した上記放送データを復調する復調回路と、上記復調回路にて復調された上記放送データを所定の記録媒体に記録する記録部を具備する放送記録装置において、ユーザーから指定された上記放送データを記録する第１の記録手段と、上記第１の記録手段が記録した上記放送データに含まれる各ＣＭの特徴を示す特徴データを抽出し、当該特徴データを集計したデータベースを作成するデータベース作成手段と、上記データベースが有する各ＣＭの上記特徴データと、記録しようとする上記放送データから抽出された各ＣＭの上記特徴データの傾向とが、双方の上記特徴データの一致数または一致率で規定される類似基準よりも類似しているとき、当該放送データの記録を許可すると判定する判定手段と、上記判定手段が記録を許可すると判定したとき当該放送データを記録する第２の記録手段と、現在から遡って所定期間の間に放送された上記放送データに含まれる各ＣＭの特徴を示す特徴データのいずれにも一致しない上記特徴データを上記データベースから破棄するデータベース管理手段と、上記第２の記録手段が記録した上記放送データが所定期間再生されないとき、当該放送データを削除する削除手段と、ユーザーの指定に基づき上記類似基準を変更する基準変更手段とを具備する構成としてある。
【００２０】
かかる構成においても請求項２から請求項６の各発明の発明特定事項が含まれるため、請求項２から請求項６の各発明の単独または相乗的な作用効果が実現できることはいうまでもない。
【発明の効果】
【００２１】
請求項１および請求項２の発明によれば、ユーザーの好みにあった番組の放送データを漏れなく記録することができる。
請求項３の発明によれば、データベースを最新の状態に更新することができる。
請求項４の発明によれば、記録容量の浪費を防止することができる。
【００２２】
請求項５の発明によれば、類否判断の基準を規定することができる。
請求項６の発明によれば、記録量を調整することができる。
請求項７の発明によれば、見たくない番組の記録を回避することができる。
請求項８の発明によれば、記録容量の浪費を防止することができる。
【発明を実施するための最良の形態】
【００２３】
ここでは、下記の順序に従って本発明の実施形態について説明する。
（１）第１の実施形態：
（１−１）通常録画処理：
（１−２）自動録画処理：
（１−３）削除処理：
（１−４）データベース管理処理：
（１−５）各種設定：
（２）変形例：
【００２４】
（１）第１の実施形態
図１は、本発明の一例としてのＨＤＤビデオレコーダの全体構成を示している。同図において、ＨＤＤビデオレコーダ１０はマイコン１１とＨＤＤ１２とデジタルチューナ１３と復調回路１４とリモコン受信部１５とリモコン送信器１６と再生回路１７を有しており、テレビジョン２０が接続されている。マイコン１１はＲＯＭやＨＤＤ１２に記憶された制御プログラムに基づいて後述する各処理を実行する。本実施形態においては記録媒体としてＨＤＤに記録を行うようにしたが、本発明の記録媒体として種々の記録媒体を適用することができる。デジタルチューナ１３は、地上波等のデジタルテレビジョン放送波から所望の周波数帯を選局し、放送データを受信する。
【００２５】
受信した放送データは、復調回路１４に入力され、復調回路１４にて多重化が解除され、さらにＭＰＥＧ２形式等のビデオデータに復調される。このようにしてビデオデータに復調された放送データをＨＤＤ１２に記憶する。マイコン１１は、リモコン送信器１６とリモコン受信部１５を介してユーザーからの指示を受け付ける。再生回路１７はＨＤＤ１２に記録された放送データを取得し、当該放送データをデコードした再生画像をテレビジョン２０に出力する。この再生履歴は、ＨＤＤ１２において再生履歴データ１２ｄとして記録される。
【００２６】
（１−１）通常録画処理
図２は、マイコン１１が実行する通常録画処理（第１の記録手段）の流れを示している。同図において、ステップＳ１１０では、ユーザーがリモコン送信器１６とリモコン受信部１５を介し、録画開始時刻と録画終了時刻とチャンネルとを指示する。むろん、録画開始時刻と録画終了時刻とチャンネルとを直接指示する必要はなく、電子番組情報等によって間接的に指定すればよい。ステップＳ１２０では録画開始時刻が経過するまで待機し、録画開始時刻が経過するとステップＳ１３０にて録画を開始する。具体的には、指定されたチャンネルの放送周波数をデジタルチューナ１３が選局し、復調回路１４が指定されたチャンネルのＭＰＥＧ２ビデオデータに復調する。このように復調された放送データをＨＤＤ１２に第１放送データ１２ａとして記録する。ステップＳ１４０にて、録画開始時刻が経過すると、録画を停止する。
【００２７】
録画を停止すると、ステップＳ１５０にて録画した第１放送データ１２ａから各ＣＭの特徴データを抽出する。番組本編とＣＭとの間には画像や音声レベルの大きな変動があるため、この変動に基づいて番組本編とＣＭとを分離することができる。さらに、各ＣＭ間の画像や音声レベルの大きな変動に基づいて各ＣＭを分離する。通常、１つの番組の間に複数のＣＭが放送されるため、複数のＣＭに対応するビデオデータに分離されることとなる。さらにＣＭごとに分離したビデオデータからそれぞれ特徴データを抽出する。特徴データが、各ＣＭの特徴を示すデータであればよく、種々のデータを採用することができる。
【００２８】
各ＣＭは固有の映像と音声を有しているため、映像と音声から特徴データを抽出することができる。例えば、ＣＭ画像の平均輝度の時間推移や色の時間推移やシーンチェンジの時間等を特徴データとしてもよいし、音声レベルの時間推移や音声レベルピークの時刻を特徴データとして抽出してもよい。各ＣＭ全体の特徴を抽出するとデータ量が膨大となるため、例えばＣＭ開始から数秒間の時間推移のみを抽出したり、フーリエ変換によりスペクトルを抽出するなどしてもよい。なお、本実施形態では、音声レベルピークの時間推移を特徴データとして抽出するものとして以下説明する。以上のように、各ＣＭの特徴データが抽出できると、ステップＳ１６０にて各ＣＭの特徴データをＨＤＤ１２のデータベース１２ｃに更新する（データベース作成手段）。以上の通常録画処理を順次行うことによって、ＨＤＤ１２にユーザーが好む番組が含まれた第１放送データ１２ａを蓄積していくことができる。また、ユーザーが好む第１放送データ１２ａに含まれるＣＭの特徴データが蓄積されたデータベース１２ｃが作成されることとなる。
【００２９】
図３は、データベース１２ｃを示している。同図において、音声レベルの時間推移を示す特徴データが模式的に示されており、各特徴データの出現度数が集計されている。また、出現度数に関して各特徴データがソートされている。ステップＳ１６０にて各ＣＭの特徴データをＨＤＤ１２のデータベース１２ｃに更新する際には、すでに記録されている特徴データとの同一性を判定し、同一である場合には出現度数を１つ加算する。同一の特徴データがデータベース１２ｃにない場合には、新たな特徴データとしてデータベース１２ｃに追記する。このようなデータベース１２ｃによれば、ユーザーが好む番組に挿入されるＣＭの傾向を把握することができる。また、各ＣＭについて最終放送日が記憶可能となっている。
【００３０】
（１−２）自動録画処理
図４は、自動録画処理（第２の記録手段）の流れを示している。ステップＳ２００においては、番組の開始時刻とともに録画を開始し、ＨＤＤ１２に第２放送データ１２ｂを記憶する。第２放送データ１２ｂは、第１放送データ１２ａと同様に復調されたＭＰＥＧ２データであり、例えば所定のヘッダを添付することにより、第１放送データ１２ａと第２放送データ１２ｂとが識別される。番組の開始時刻と終了時刻は、例えば電子番組表や放送信号から取得することができる。番組の終了時刻が経過するとステップＳ２１０にて録画を停止させる。ステップＳ２２０では、ステップＳ２００〜Ｓ２１０にて自動録画した第２放送データ１２ｂに含まれる各ＣＭの特徴データを抽出する。ここでの処理は、上述したステップＳ１５０と同様である。これによって、自動録画した第２放送データ１２ｂにおけるＣＭの傾向を把握することができる。
【００３１】
ステップＳ２３０においては、ユーザーの指示により録画された第１放送データ１２ａにおけるＣＭの傾向と、自動録画した第２放送データ１２ｂにおけるＣＭの傾向とが類似しているか否かが所定のＨＤＤ１２に記録された類似基準１２ｅに基づき判定される（判定手段）。この類否判定は種々の手法を適用することができ、類似基準１２ｅも種々の基準を適用することができる。以下、その例を説明する。
【００３２】
図５は、データベース１２ｃに蓄積されたＣＭの特徴データの傾向と、ステップＳ２２０にて抽出した第２放送データ１２ｂにおけるＣＭの傾向とを比較している。同図の左側においては、データベース１２ｃに蓄積されたＣＭが出現度数の高い順（ランク）にソートされている。一方、ステップＳ２２０にて抽出した第２放送データ１２ｂにおける各ＣＭについて同一の特徴データを有するもの同士がまとめられ、同図の右側ではその出現度数および出現率が示されている。そして、ステップＳ２２０にて抽出した第２放送データ１２ｂに含まれるＣＭのうち、データベース１２ｃに蓄積されたＣＭと特徴データが一致するＣＭについては一致性の欄に○（ランクが１０位以内は◎）が示され、第２放送データ１２ｂの録画時刻が最終放送日として更新される。データベース１２ｃに予め特徴データを登録しておくことにより、特徴データの一致性からＣＭの一致性を判断することができる。
【００３３】
類似基準１２ｅの一例として、一致するＣＭの個数（一致数）を使用することができる。例えば、ステップＳ２２０にて抽出した第２放送データ１２ｂに含まれ、かつ、データベース１２ｃに蓄積されたＣＭと一致するＣＭ（○が示されたＣＭ）が、データベース１２ｃにおける出現度数の上位１０位に何個入っている（◎が示されたＣＭ）かによって判定することができる。例えば、一致するものが１０位以内に２個以上入ることを判断基準とすることができる。別の類似基準１２ｅの一例として、一致するＣＭの比率（一致率）を使用することができる。例えば、ステップＳ２２０にて抽出した第２放送データ１２ｂに含まれ、かつ、データベース１２ｃに蓄積されたＣＭと一致するＣＭ（○が示されたＣＭ）の出現率の累計が３０％以上である場合に、データベース１２ｃに蓄積されたＣＭの特徴データの傾向と、ステップＳ２２０にて抽出した第２放送データ１２ｂにおけるＣＭの傾向とが類似すると判定できる。
【００３４】
類似しないと判定されると、ステップＳ２４０にて当該第２放送データ１２ｂをＨＤＤ１２から削除する。すなわち、当該第２放送データ１２ｂに含まれるＣＭの傾向がユーザーの好む番組に挿入されるＣＭの傾向（データベース１２ｃ）に類似しておらず、当該第２放送データ１２ｂに含まれる番組自体もユーザーの好みでないと推定し、削除（実質的に録画を許可しない。）する。なお、本処理において記録を許可しないことと削除することは実質的に同じことを意味し、記録を許可することと第２放送データ１２ｂを保持することも実質的に同じことを意味する。一方、類似すると判定されると、ステップＳ２５０にて特定の許否ＣＭが含まれていないかどうかを判定する。
【００３５】
許否ＣＭは、当該許否ＣＭが挿入される番組をユーザーが視聴したくないときに設定するＣＭであり、ここではＣＭ２０が許否ＣＭとして設定されており、その特徴データが許否特徴データ１２ｆとして記録されているものとする。図５の右側において示されているステップＳ２２０にて抽出した第２放送データ１２ｂに含まれるＣＭには、ＣＭ２０が含まれていないため、許否ＣＭが含まれていないと判定される。ステップＳ２２０にて抽出した第２放送データ１２ｂに含まれるＣＭの特徴データと、許否特徴データ１２ｆとを比較することより、許否ＣＭが含まれているかいないかを判定することができる。許否ＣＭが含まれている場合には、ステップＳ２４０にて当該第２放送データ１２ｂをＨＤＤ１２から削除（実質的に録画を許可しない。）する。これにより、許否ＣＭが挿入される番組を含む第２放送データ１２ｂが記録されるのが防止できる。
【００３６】
一方、許否ＣＭが含まれていない場合には、ステップＳ２６０にて当該第２放送データ１２ｂのヘッダに録画日を書き加え、自動録画処理を終了させる。このようにすることにより、第２放送データ１２ｂとして仮録画した放送データに含まれるＣＭが、ユーザーの好みが反映されたデータベース１２ｃが示すＣＭの傾向に類似する場合に限り、第２放送データ１２ｂをＨＤＤ１２に保持することができる。従って、ユーザーが好む番組のみをＨＤＤ１２に記録することができる。例えば、通常録画処理においてアニメ番組を多く録画した場合には、子供向けのＣＭがデータベース１２ｃの上位を占めることとなる。これに対して、記録しようとする第２放送データ１２ｂもアニメ番組を含むものである場合には同様の子供向けのＣＭが多く含まれることとなる。
【００３７】
従って、これらのＣＭのうちいくつかは一致する可能性が高く、ある一致数あるいは一致率を超えた場合には、削除することなくＨＤＤ１２に記録したままにする。結果的にユーザーが好むアニメ番組が多く記録されることとなる。以上のような自動録画処理を常時行うことにより、例えば、アニメ番組の放送時間が変更された場合でも挿入されるＣＭが変わることはないため、追従して録画することができる。また、全く異なる時間帯に再放送がされた場合でも、追従して録画することができる。また、同一のＣＭが複数の放送局にまたがって放送されることは通常であり、放送番組のジャンルと挿入されるＣＭの対応関係も放送局が変わっても同じであるということができる。従って、複数のチャンネルにまたがって自動録画処理を実行した場合でも、同様にユーザーが好む番組を録画することができる。従って、デジタルチューナ１３を複数備えたり、時分割的に複数チャンネルを巡回したりすることにより、多チャンネルにまたがった並行的な自動録画処理を行うことも可能である。
【００３８】
（１−３）削除処理
しかしながら、番組に挿入されるＣＭには不確定要素があり、必ずしもユーザーの意向に沿った第２放送データ１２ｂが記録されるとは限らない。そこで、図６に示す削除処理（削除手段）を定期的に実行する。ステップＳ３００においては、ＨＤＤ１２に記録された第２放送データ１２ｂのうち、記録されてから１週間以上再生されていないものを検知する。自動録画処理におけるステップＳ２６０では最終的に第２放送データ１２ｂのヘッダに録画日を書き加えているため、記録から１週間経過したか否かを判定することができる。再生履歴データ１２ｄには各第２放送データ１２ｂの再生履歴が記録されているため、再生履歴データ１２ｄを参照して記録から１週間以上再生されていない第２放送データ１２ｂを検出することができる。放送データのすべての記録時間を再生することは希であるため、例えば記録時間のうち数１０％再生されたことをもって、再生されたと判定するようにしてよい。
【００３９】
ステップＳ３１０においては、記録から１週間以上の期間再生されていない第２放送データ１２ｂを削除する。これにより、ユーザーの好みにそぐわない第２放送データ１２ｂを削除し、ＨＤＤ１２の記録容量を確保することができる。一方、記録から１週間以内に再生された第２放送データ１２ｂについては、ステップＳ３２０にてそのヘッダを書き換えることにより第１放送データ１２ａに変換する。すなわち、記録から１週間以内に再生された第２放送データ１２ｂは、ユーザーが好んで録画指定した第１放送データ１２ａと同視することができ、第１放送データ１２ａに変換する。ステップＳ３３０では変換された第１放送データ１２ａに含まれる各ＣＭについてステップＳ１５０と同様に特徴データを抽出し、ステップＳ３４０ではステップＳ１６０と同様にデータベース１２ｃを更新する。
【００４０】
（１−４）データベース管理処理
以上のようにすることにより、最近録画した好みの番組に含まれるＣＭの特徴データをデータベース１２ｃに追加していくことができる。しかしながら、同一のＣＭが放送される期間は有限であり、データベース１２ｃを記録するＨＤＤ１２の記録容量も有限であるため、無駄な特徴データはできるだけデータベース１２ｃから破棄しておくことが望ましい。そこで、図７に示すデータベース管理処理（データベース管理手段）を実行する。ステップＳ４００においては、データベース１２ｃを読み出して、各ＣＭの最終放送日を取得する。自動録画処理におけるステップＳ２３０においてＣＭの一致性を判定する際に、一致するＣＭについてはデータベース１２ｃにおける最終放送日を更新しているため、自動録画処理において最後に受信された放送日時を取得することができる。ステップＳ４１０においては、最終放送日が現在から遡って１ヶ月以上前であるＣＭを検出し、当該ＣＭをステップＳ４２０にてデータベース１２ｃから削除する。これによって、データベース１２ｃに無駄なデータが蓄積することが防止できる。
【００４１】
（１−５）各種設定
図８は、類似基準１２ｅを設定するためのＵＩ画面（基準変更手段）を示している。当該ＵＩ画面はマイコン１１によってテレビジョン２０の画面に表示される。ここでは、ＣＭの一致率と一致数のいずれかで類否判断を行うかを指定するためのチェックボックスと、いずれかを選択した場合に一致率または一致数の具体的数値を入力することが可能となっている。これらの指定は、リモコン送信器１６とリモコン受信部１５を介してマイコン１１が受け付ける。以上のＵＩ画面での指定が受け付けられると、受け付けられた内容で類似基準１２ｅがＨＤＤ１２にて更新される。これにより、以降実行される自動録画処理のステップＳ２３０の類否判断に、更新後の類似基準１２ｅが反映される。例えば、ユーザーが好みでない第２放送データ１２ｂが多く記録されていると感じた場合には、一致率と一致数を上方修正すれば保持される第２放送データ１２ｂを抑えることができる。
【００４２】
図９は、リモコン送信器１６を示している。同図においては、許否ＣＭを指定するための許否ＣＭボタン１６ａが設けられている。例えば、テレビジョン２０を視聴中にユーザーが不快な番組であると感じたときに許否ＣＭボタン１６ａを押す。すると、当該番組をＨＤＤビデオレコーダ１０が仮録画するとともに、その中に含まれるＣＭの特徴データを抽出する。そして、抽出した特徴データを許否特徴データ１２ｆとしてＨＤＤ１２に記憶させる。これにより、自動録画処理のステップＳ２５０においてユーザーの意図する許否特徴データ１２ｆを使用して、録画を制限することができる。
【００４３】
（２）変形例
以上は本発明の一例に過ぎず、指定録画した番組に含まれるＣＭの傾向と同様のＣＭの傾向を有する番組を自動的に録画するという本発明の範囲において種々の実施形態を採用することができる。例えば、上述した実施形態では、第２放送データ１２ｂの録画が完了した時点で保持するか削除するかを判定するようにしたが、録画の途中段階でＣＭの傾向を比較し、録画を継続するか中断するかを判定するようにしてもよい。また、デジタル放送を一例として挙げたが、アナログ放送においても同様にＣＭが挿入されるため、当然として本発明を適用することができる。むろん、記録するデータはデジタルデータに限られず、ビデオテープ等にアナログ記録するものであってもよい。また、テレビジョン放送に限られずラジオ放送においてもＣＭが挿入されるため、ラジオが受信可能なオーディオレコーダにおいても本発明を適用することもできる。
【００４４】
上述した実施形態では許否ＣＭが第２放送データ１２ｂに含まれる場合、当該第２放送データ１２ｂを削除（録画しない）ようにしたが、記憶容量に余裕がある場合等には記録するようにしてもよい。図１０は、自動録画処理の変形例を示している。ステップＳ２５０にて特定の許否ＣＭが含まれると判断された場合、ステップＳ２７０に進み、当該許否ＣＭを含む第２放送データ１２ｂのビットレートを低下させる変換を行う。このように、ＣＭの傾向は似ているが、好ましくないＣＭが一部含まれる場合には、念のため録画を行うとともに、記録容量を浪費しないように記録品質を低下させるようにしてもよい。
【図面の簡単な説明】
【００４５】
【図１】ＨＤＤビデオレコーダのブロック図である。
【図２】通常録画処理のフローチャートである。
【図３】データベースを示す図である。
【図４】自動録画処理のフローチャートである。
【図５】ＣＭ傾向の類否判定を説明する図である。
【図６】削除処理のフローチャートである。
【図７】データベース管理処理のフローチャートである。
【図８】類似基準を設定するＵＩ画面を示す図である。
【図９】リモコン送信器の斜視図である。
【図１０】変形例にかかる自動録画処理のフローチャートである。
【符号の説明】
【００４６】
１０…ＨＤＤビデオレコーダ、１１…マイコン、１２…ＨＤＤ，１２ａ…第１放送データ、１２ｂ…第２放送データ、１２ｃ…データベース、１２ｄ…再生履歴データ、１２ｅ…類似基準、１２ｆ…許否特徴データ、１３…デジタルチューナ、１４…復調回路、１５…リモコン受信部、１６…リモコン送信器、１６ａ…許否ＣＭボタン、１７…再生回路、２０…テレビジョン。
【図１】
2008123617.tif 000003
【図２】
2008123617.tif 000004
【図３】
2008123617.tif 000005
【図４】
2008123617.tif 000006
【図５】
2008123617.tif 000007
【図６】
2008123617.tif 000008
【図７】
2008123617.tif 000009
【図８】
2008123617.tif 000010
【図９】
2008123617.tif 000011
【図１０】
2008123617.tif 000012